(57)【要約】【課題】固定屋根式の貯蔵タンク内に容易に搬入し、その後、貯蔵タンク内で容易に展開できるスロッシング抑制装置により、予想を超えるような大きな地震を原因として生じる激しいスロッシング現象により貯蔵タンク内の液面に著しく大きな波（液面の上下運動）が生じようとした場合であっても、その発生を抑制して、屋根部分を破損してしまう事態の発生を防止した、スロッシング抑制装置を提供する。【解決手段】本発明に係るスロッシング抑制装置は、所定の液体を収容している固定屋根式の貯蔵タンクにおいて、液体の液面に浮遊する複数の球体相互を、ロープ部材により連結している。また、複数の球体は、液面のほぼ全体を覆うように隙間なく並設されている。さらに、球体は、球体の半分程度を水没させるバランスウエイトを内蔵している。【選択図】図２
2011184087.tif 000002
【特許請求の範囲】
【請求項１】
所定の液体を収容している固定屋根式の貯蔵タンクにおいて、液体の液面に浮遊する複数の球体相互を、ロープ部材により連結していることを特徴とするスロッシング抑制装置。
【請求項２】
複数の球体は、液面のほぼ全体を覆うように隙間なく並設されている請求項１に記載のスロッシング抑制装置。
【請求項３】
球体は、球体の半分程度を水没させるバランスウエイトを内蔵している請求項１または２に記載のスロッシング抑制装置。
【請求項４】
複数の球体相互を連結するロープ部材は、球体の頂点同士を連結している請求項１に記載のスロッシング抑制装置。
【請求項５】
複数の球体相互を連結するロープ部材は、個々のロープ部材が、全体として格子状に配置されている請求項１または４に記載のスロッシング抑制装置。
【請求項６】
複数の球体のいずれかに、重りを吊り下げている請求項１または２に記載のスロッシング抑制装置。
【発明の詳細な説明】
【技術分野】
【０００１】
本発明は、石油等の種々の液体を収容している固定屋根式の貯蔵タンクにおいて、大きな地震を原因として生じる激しいスロッシング現象により、貯蔵タンク内に収容している液体の一部が貯蔵タンクの屋根部分に当たって当該屋根部分を破損してしまうような事態の発生を防止した、スロッシング抑制装置に関するものである。
【背景技術】
【０００２】
石油等の種々の液体を収容する貯蔵タンクとしては、例えば、図８・図９に示すような、固定屋根式の貯蔵タンクＴが存在する。この固定屋根式の貯蔵タンクＴは、浮遊屋根式の貯蔵タンクに比較して、小容量の液体を収容するものとして利用されることが多い。
【０００３】
この固定屋根式の貯蔵タンクＴにおいては、比較的に軽微な地震を原因として生じるスロッシング現象により、貯蔵タンクＴ内の液体Ｗに小さな波が発生した場合であっても、発生した波により屋根部分が破損するなどの事態の発生を防ぎ、これに充分に対応するために、液面と屋根部分の間に所定の間隔を保持している。
【先行技術文献】
【特許文献】
【０００４】
【特許文献１】特になし
【発明の概要】
【発明が解決しようとする課題】
【０００５】
しかしながら、固定屋根式の貯蔵タンクＴにおいては、比較的に軽微な地震を原因として生じるスロッシング現象には対応できるものの、予想を超えるような大きな地震を原因として生じる激しいスロッシング現象により、屋根部分を破損してしまう事態が発生していた。
【０００６】
スロッシング現象は、大量の液体Ｗを収容している貯蔵タンクＴが、地震による地震動を受けると、この地震動に共震して貯蔵タンクＴ内の液面がうねって揺れ動くような波（液面の上下運動）が発生する現象であるが、予想を超えるような大きな地震が起こると、貯蔵タンクＴがこの地震動に共震して、貯蔵タンクＴ内の液面に著しく大きな波（液面の上下運動）が生じることがある。
【０００７】
この様な大きな波（液面の上下運動）が貯蔵タンクＴの内壁面に沿って生じると、図８に示すように、大量の液体Ｗが貯蔵タンクＴの屋根部分に向けて勢い良く押し上げられたような状態となる。
【０００８】
そして、上方に押し上げられた大量の液体Ｗが勢い良く屋根部分に衝突して、屋根部分を破損してしまう事態が発生するのである。
【０００９】
この様なスロッシング現象による屋根部分の破損を防止する措置として、例えば、図９に示すように、屋根部分に近い貯蔵タンクＴの上部に、所定の格子機構１００を付設する措置がある。格子機構１００は、所定の高さを有する横長形状の板部材を格子状に組み付けて、貯蔵タンクＴの上部全体の空間を、小区画に分割したものである。
【００１０】
この格子機構１００は、地震によるスロッシング現象により、貯蔵タンクＴ内の液面に大きな波（液面の上下運動）が生じようとするときに、貯蔵タンクＴ内における液面を格子機構１００に導き入れて、貯蔵タンクＴの屋根部分に勢い良く衝突しようとする液体Ｗを複数の小区画全体で受け止め、液体Ｗ全体の運動エネルギーを小区画毎に分散させることにより、屋根部分に対する液体Ｗの衝突力を弱める機能を有している。
【００１１】
しかし、この様な格子機構１００を設ける措置は、新規のプラントのように建設の当初から講じていれば有効であるものの、既設のプラントにおいては、格子機構１００を貯蔵タンクＴの内部に新たに設置する追加の工事が必要となり、多額の建設費用を要する事になってしまう。
【００１２】
また、固定屋根式の貯蔵タンクＴにおいては、連絡口(出入り口)としてマンホール程度の小さな孔しか存在していないため、工事に使用する機材を搬入する際に大きな制約となっている。
【００１３】
そこで、本発明は如上のような従来存した諸事情に鑑み創出されたもので、固定屋根式の貯蔵タンク内に容易に搬入し、その後、貯蔵タンク内で容易に展開できるスロッシング抑制装置により、予想を超えるような大きな地震を原因として生じる激しいスロッシング現象により貯蔵タンク内の液面に著しく大きな波（液面の上下運動）が生じようとした場合であっても、その発生を抑制して、屋根部分を破損してしまう事態の発生を防止した、スロッシング抑制装置を提供することを目的とする。
【課題を解決するための手段】
【００１４】
本発明に係るスロッシング抑制装置は、所定の液体を収容している固定屋根式の貯蔵タンクにおいて、液体の液面に浮遊する複数の球体相互を、ロープ部材により連結していることで、上述した課題を解決した。
【００１５】
また、複数の球体は、液面のほぼ全体を覆うように隙間なく並設されていることで、同じく上述した課題を解決した。
【００１６】
さらに、球体は、球体の半分程度を水没させるバランスウエイトを内蔵していることで、同じく上述した課題を解決した。
【００１７】
また、複数の球体相互を連結するロープ部材は、球体の頂点同士を連結していることで、同じく上述した課題を解決した。
【００１８】
この他、複数の球体相互を連結するロープ部材は、個々のロープ部材が、全体として格子状に配置されていることで、同じく上述した課題を解決した。
【００１９】
また、複数の球体のいずれかに、重りを吊り下げていることで、同じく上述した課題を解決した。
【発明の効果】
【００２０】
本発明に係るスロッシング抑制装置は、所定の液体を収容している固定屋根式の貯蔵タンクにおいて、液体の液面に浮遊する複数の球体相互を、ロープ部材により連結していることから、比較的に簡易な構成によるスロッシング抑制装置を形成することができる。
【００２１】
その為、スロッシング抑制装置全体を、安価に構築することができる。また、既設の貯蔵タンクに、大きな地震を原因として生じる激しいスロッシング現象に対応した措置を、事後的に講じることができる。
【００２２】
また、複数の球体は、液面のほぼ全体を覆うように隙間なく並設されていることから、液体の液面にスロッシング抑制装置を浮遊させると、貯蔵タンク内に収容している液体の液面全体を、スロッシング抑制装置により覆ったような状態となる。
【００２３】
その為、地震によるスロッシング現象により、貯蔵タンク内の液面に大きな波（液面の上下運動）が生じようとするときに、液面の上昇を抑制することができる。
【００２４】
この様な大きな波（液面の上下運動）は、貯蔵タンクの内壁面に沿って生じ易いものであるが、液面の全体をスロッシング抑制装置により覆っていることから、大きな波（液面の上下運動）が生じようとしている部分の液面に浮遊している複数の球体が、通常の液面に浮遊している複数の球体に引っ張られるような状態となる。
【００２５】
その為、大きな波（液面の上下運動）が生じようとしている部分の液面に浮遊している複数の球体が液面を押さえ付けて、液面の上昇を抑制するのである。
【００２６】
そして、複数の球体のいずれかに、重りを吊り下げているときには、この液面の上昇を抑制する効果が、より顕著に発揮されることとなる。
【００２７】
この他、複数の球体は、液面のほぼ全体を覆うように隙間なく並設されていることから、液面を小区画に分割したような状態となる。その為、地震によるスロッシング現象により、貯蔵タンク内の液面に大きな波（液面の上下運動）が生じようとするときに、貯蔵タンク内における液面を複数の球体により形成されている複数の小区画に導き入れて、貯蔵タンクの屋根部分に勢い良く衝突しようとする液体を、複数の小区画全体で受け止め、液体全体の運動エネルギーを小区画毎に分散させることにより、屋根部分に対する液体の衝突力を弱めるのである。
【００２８】
また、複数の球体は、液面のほぼ全体を覆うように隙間なく並設されており、球体の集合による面状態を維持していることから、液面の大揺動時に球体が分散することがなく、液面の揺動を効率良く抑制できる。
【００２９】
さらに、スロッシング抑制装置が複数の球体により構成されているため、予想を超えるような大きな地震を原因として生じる激しいスロッシング現象により、スロッシング抑制装置が勢い良く上方に押し上げられて屋根部分に衝突した場合であっても、その衝突の荷重が分散して、屋根部分に損傷を与えることがない。
【００３０】
また、スロッシング抑制装置は、全体として柔軟性を有していることから、スロッシング抑制装置全体を巻き付けることにより、固定屋根式の貯蔵タンクに存在するマンホール程度の孔である連絡口(出入り口)を介して、スロッシング抑制装置を貯蔵タンク内に容易に搬入することができる。
【００３１】
加えて、貯蔵タンク内において展開する手順も比較的に容易であることから、貯蔵タンク内にスロッシング抑制装置を設置する時間を短縮できる。
【００３２】
また、球体は、球体の半分程度を水没させるバランスウエイトを内蔵していることから、液面の揺動を効率良く抑制できる。
【００３３】
さらに、複数の球体相互を連結するロープ部材は、球体の頂点同士を連結していることから、球体同士を若干離したり、また、球体同士を強く当接させる動きを許容して、液体全体の運動エネルギーを分散させることができる。
【００３４】
また、複数の球体相互を連結するロープ部材は、個々のロープ部材が、全体として格子状に配置されていることから、このロープ部材を介して、複数の球体を隙間なく、しっかりと並設することができる。
【図面の簡単な説明】
【００３５】
【図１】複数の球体を、ロープ部材を介して隙間なく並設しているスロッシング抑制装置の構成を示す斜視図である。
【図２】複数の球体を、ロープ部材を介して隙間なく並設して構成しているスロッシング抑制装置を、固定屋根式の貯蔵タンクに収容している液体の液面に浮遊させている状態を示す斜視図である。
【図３】複数の球体を、ロープ部材を介して隙間なく並設して構成しているスロッシング抑制装置を、固定屋根式の貯蔵タンクに収容している液体の液面に浮遊させている状態を示す平面図である。
【図４】複数の重りを吊り下げているスロッシング抑制装置の構成を示す斜視図である。
【図５】スロッシング抑制装置の浮遊状態を示すもので、（ａ）は球体の半分程度が水没している状態を示す側面図、（ｂ）は重りを吊り下げている球体の浮遊状態を示す側面図である。
【図６】球体へのロープ部材の固定状態を示すもので、（ａ）は固定ピンの固定脚部に形成されている切り込み部に、交差しているロープ部材を導入した状態で固定脚部を球体の連結穴に挿入する状態を示す分解斜視図、（ｂ）は球体にロープ部材を固定した状態を示す斜視図である。
【図７】地震によるスロッシング現象により、貯蔵タンク内の液面に大きな波（液面の上下運動）が生じようとするときに、液面に浮遊しているスロッシング抑制装置が、液面の上昇を抑制している状態を示す概略の説明図である。
【図８】貯蔵タンクの内壁面において、大量の液体が屋根部分に向けて勢い良く押し上げられている状態を示す概略の説明図である。
【図９】スロッシング現象による屋根部分の破損を防止する措置として、屋根部分に近い貯蔵タンクの上部に、所定の格子機構を付設している状態を示す斜視図である。
【発明を実施するための形態】
【００３６】
以下に、本発明を実施するための形態を、図面を参照して詳細に説明する。
【００３７】
本発明は、固定屋根式の貯蔵タンクＴ内に容易に搬入し、その後、貯蔵タンクＴ内で容易に展開できるスロッシング抑制装置１である。
【００３８】
このスロッシング抑制装置１は、図１・図２に示すように、所定の液体Ｗを収容している固定屋根式の貯蔵タンクＴにおいて、液体Ｗの液面に浮遊する複数の球体２相互を、ロープ部材３により連結している。
【００３９】
複数の球体２は、図２・図３に示すように、貯蔵タンクＴ内に収容している液体Ｗにおいて、液面のほぼ全体を覆うように隙間なく並設されている。また、複数の球体２は、貯蔵タンクＴ内の形状に合わせて、全体がほぼ円形となるように並設されている。
【００４０】
尚、スロッシング抑制装置１の全体形状は、円形に限定されることはなく、どの様な形状であっても良い。
【００４１】
個々の球体２は、例えば、発泡ウレタン等の軟質部材を用いて形成されている。また、球体２は、直径が１０センチメートル前後の大きさになるように形成されている。さらに、球体２は、図５（ａ）に示すように、バランスウエイト４を内蔵している。このバランスウエイト４は、球体２を半分程度水没させるためのもので、約２５０グラム程度の重さを有している。
【００４２】
複数の球体２相互を連結するロープ部材３は、図５（ａ）に示すように、球体２の頂点同士を連結している。
【００４３】
また、ロープ部材３は、図３に示すように、個々のロープ部材３が、全体として格子状に配置されて、複数の球体２相互を連結している。
【００４４】
球体２へのロープ部材３の固定は、所定の固定ピン５を用いている。この固定ピン５は、図６（ａ）に示すように、円形の頭部６と、頭部６に連設した柱状の固定脚部７により形成されている。また、固定脚部７の全体には、下方から見て十字状となる切り込み部８が設けられている。
【００４５】
一方、球体２の頂点部には、所定の連結穴９が設けられている。
【００４６】
そして、図６（ａ）（ｂ）に示すように、固定ピン５の固定脚部７に形成されている切り込み部８に、交差しているロープ部材３を導入した状態で固定脚部７を球体２の連結穴９に挿入して、球体２にロープ部材３を固定するのである。
【００４７】
この様にして、複数の球体２を全体がほぼ円形となるように隙間なく並設した一体的なスロッシング抑制装置１を形成して、図７に示すように、所定の液体Ｗを収容している固定屋根式の貯蔵タンクＴにおいて、液体Ｗの液面に載置する。
【００４８】
このとき、スロッシング抑制装置１は、複数の球体２により液体Ｗの液面に浮遊することとなる。具体的には、球体２の下半分程度が水没し、球体２の上半分とロープ部材３が水面より上方に存在している。
【００４９】
この様に、液体Ｗの液面にスロッシング抑制装置１を浮遊させると、貯蔵タンクＴ内に収容している液体Ｗの液面全体を、スロッシング抑制装置１により覆ったような状態となる。
【００５０】
その為、図７に示すように、地震によるスロッシング現象により、貯蔵タンクＴ内の液面に大きな波（液面の上下運動）が生じようとするときに、スロッシング抑制装置１が液面の上昇を抑制するのである。
【００５１】
この様な大きな波（液面の上下運動）は、図８に示すように、貯蔵タンクＴの内壁面に沿って生じ易いものであるが、液面の全体をスロッシング抑制装置１により覆っていることから、図７に示すように、大きな波（液面の上下運動）が生じようとしている部分の液面に浮遊している複数の球体２（図７の右側に位置している複数の球体２）が、他の液面に浮遊している複数の球体２（図７の左側に位置している複数の球体２）に引っ張られるような状態となる。
【００５２】
その為、大きな波（液面の上下運動）が生じようとしている部分の液面に浮遊している複数の球体２（図７の右側に位置している複数の球体２）が、液面を押さえ付けて、液面の上昇を抑制するのである。
【００５３】
以上のことからすると、例えば、図４・図５（ｂ）に示すように、スロッシング抑制装置１に複数の重り１０を吊り下げると、液面を押さえ付ける作用が向上して、スロッシング抑制装置１としてより好ましいものとなる。
【００５４】
この重り１０は、所定の長さの紐部材１１により、球体２に吊り下げられている。また、重り１０は、図４に示すように、ほぼ円形となるように隙間なく並設されている球体２において、円形の縁部分に沿うように取り付けられている。
【００５５】
この他、スロッシング抑制装置１は、液体Ｗの液面に浮遊する複数の球体２相互を、ロープ部材３により連結していることから、全体として柔軟性を有している。
【００５６】
そのため、スロッシング抑制装置１全体を巻き付けることにより、例えば、スロッシング抑制装置1の全体を縦長の形状にして、固定屋根式の貯蔵タンクに存在するマンホール程度の孔である連絡口(出入り口)を介して、スロッシング抑制装置を貯蔵タンク内に容易に搬入することができる。
【産業上の利用可能性】
【００５７】
本発明に係るスロッシング抑制装置は、様々な分野における貯蔵タンクにおいて、大きな地震を原因として生じる激しいスロッシング現象により貯蔵タンク内の液面に著しく大きな波（液面の上下運動）が生じようとした場合であってもその発生を抑制して、屋根部分を破損してしまう事態の発生を防止するものとして、幅広く利用することができる。
【符号の説明】
【００５８】
Ｔ…固定屋根式の貯蔵タンク
Ｗ…液体
１００…格子機構
１…スロッシング抑制装置
２…球体
３…ロープ部材
４…バランスウエイト
５…固定ピン
６…頭部
７…固定脚部
８…切り込み部
９…連結穴
１０…重り
１１…紐部材
【図１】
2011184087.tif 000003
【図２】
2011184087.tif 000004
【図３】
2011184087.tif 000005
【図４】
2011184087.tif 000006
【図５】
2011184087.tif 000007
【図６】
2011184087.tif 000008
【図７】
2011184087.tif 000009
【図８】
2011184087.tif 000010
【図９】
2011184087.tif 000011